(57)【要約】【課題】円筒状のリールハブの外周に磁気テープを巻装した単一のリールがカートリッジケース内に回転可能に収容され、リールハブの内部に、非使用時に前記リールをロックして該リールの回転を禁止するロック部材が、ロック位置とロック解除位置との間で前記リールの軸線方向に移動可能に設けられてなる磁気テープカートリッジにおいて、磁気テープの巻締め力によるリールハブの変形を阻止して、リールフランジと磁気テープとの接触を防止する。【解決手段】ロック部材４に、リールハブ２１の内周面に対し複数箇所で常時接触してリールハブ２１の周壁を支持する支持手段４８を設ける。【選択図】        図５
2005259226.tif 000002
【特許請求の範囲】
【請求項１】
円筒状のリールハブの外周に磁気テープを巻装した単一のリールがカートリッジケース内に回転可能に収容され、前記リールハブの内部に、非使用時に前記リールをロックして該リールの回転を禁止するロック部材が、ロック位置とロック解除位置との間で前記リールの軸線方向に移動可能に設けられてなる磁気テープカートリッジにおいて、
前記ロック部材が、前記リールハブの内周面に対し複数箇所で常時接触して該リールハブの周壁を支持する支持手段を備えていることを特徴とする磁気テープカートリッジ。
【請求項２】
前記リールハブの底面に、ドライブ装置側の駆動ギアと噛合するリールギアが設けられ、該リールハブの底壁と前記ロック部材との間に、前記駆動ギアと前記リールギアとの噛合に伴って前記ロック部材を前記ロック位置から前記ロック解除位置に移動させる解除部材が介装されていることを特徴とする請求項１記載の磁気テープカートリッジ。
【請求項３】
前記ロック部材が、前記カートリッジケースに固設された係合部に常時係合する係合部と、前記リールハブに固設された係合部に対し前記ロック位置において係合する係合部とを備えていることを特徴とする請求項２記載の磁気テープカートリッジ。
【請求項４】
前記ロック部材が、前記リールハブの内周面に対し所定の間隙を隔てて対向する外周面を備え、該外周面上に前記支持手段が設けられていることを特徴とする請求項１から３のいずれか１項記載の磁気テープカートリッジ。
【発明の詳細な説明】
【技術分野】
【０００１】
本発明は、磁気テープカートリッジに関し、特に、磁気テープを巻装した単一のリールがカートリッジケース内に回転可能に収容され、かつ非使用時に上記リールをロック状態とするロック部材がリールハブ内に設けられてなる磁気テープカートリッジに関するものである。
【背景技術】
【０００２】
従来、コンピュータ等の外部記憶装置に用いられる記録媒体として使用されている磁気テープカートリッジとして、単一のリールに磁気テープを巻装し、このリールをカートリッジケース内に回転可能に収容したタイプのものが知られている。
【０００３】
この種の磁気テープカートリッジにおいては、磁気テープを外周に巻装した合成樹脂製のリールハブと、このリールハブの上下端外周から径方向に張り出した上下フランジとを備えた単一のリールがカートリッジケース内に回転可能に収容されているが、リールが一つであるために、カートリッジの落下等による衝撃で磁気テープが弛んだ場合、それを吸収することができず、磁気テープに傷がついたりする欠点があった。
【０００４】
そこで、特許文献１に記載されているように、非使用時にはリールをロックしてリールの回転を禁止するリールロック機構をリールハブの内部に収容した磁気テープカートリッジが提案されている。このリールロック機構は、ロック位置とロック解除位置との間でリールの軸線方向に移動可能に設けられたロック部材と、このロック部材をロック方向に付勢する付勢部材と、上記ドライブ装置側の回転駆動部材のチャッキング動作に伴って移動せしめられて上記ロック部材をロック解除位置に移動させる解除部材とを備えている。
【０００５】
そして、上記ロック部材はロック歯を備え、非使用時にこのロック歯が、リール側に形成されているロック歯と噛合してリールの回転を強制的にロックし、これにより、カートリッジの落下等による衝撃で磁気テープが巻き締まったり、弛んだりしないように構成されている。
【０００６】
ところで、この種の磁気テープカートリッジにおいては、近年の高密度化に伴い、リールハブの外周に巻回される磁気テープの長さが長くなり、そのためリールハブに対する磁気テープの巻締め力が増大してリールハブが変形し、この変形によってリールフランジが磁気テープに接触してテープエッジを損傷させるという問題が生じている。
【特許文献１】特開２００２−３６７３３１号
【発明の開示】
【発明が解決しようとする課題】
【０００７】
解決しようとする問題は、磁気テープの巻締め力によるリールハブの変形を阻止して、リールフランジと磁気テープとの接触を防止することである。
【課題を解決するための手段】
【０００８】
本発明による磁気テープカートリッジは、円筒状のリールハブの外周に磁気テープを巻装した単一のリールがカートリッジケース内に回転可能に収容され、上記リールハブの内部に、非使用時にリールをロックしてリールの回転を禁止するロック部材が、ロック位置とロック解除位置との間でリールの軸線方向に移動可能に設けられてなる磁気テープカートリッジにおいて、上記ロック部材が、リールハブの内周面に対し複数箇所で常時接触してこのリールハブの周壁を支持する支持手段を備えていることを特徴とするものである。
【０００９】
上記リールハブの底面には、ドライブ装置側の駆動ギアと噛合するリールギアが設けられ、このリールハブの底壁と上記ロック部材との間に、上記駆動ギアと上記リールギアとの噛合に伴って上記ロック部材をロック位置からロック解除位置に移動させる解除部材が介装されていることが好ましい。
【００１０】
上記ロック部材は、カートリッジケースに固設された係合部に常時係合する係合部と、リールハブに固設された係合部（例えばロック歯）に対しロック位置において係合する係合部（例えばロック歯）とを備えていることが好ましい。
【００１１】
上記支持手段に関しては、例えば上記ロック部材に、リールハブの内周面に対し所定の間隙を隔てて対向する外周面を設けて、この外周面上に上記支持手段を設ければよい。
【発明の効果】
【００１２】
本発明によれば、上記ロック部材が、リールハブの内周面に対し複数箇所で常時接触してこのリールハブの周壁を支持する支持手段を備えていることにより、磁気テープの巻締め力によるリールハブの変形が阻止され、リールフランジと磁気テープとの接触を防止することができる。
【発明を実施するための最良の形態】
【００１３】
以下、図面を参照して本発明の好ましい実施の形態について詳細に説明する。図１は、本発明による磁気テープカートリッジの一実施の形態において、ドライブ装置側の回転駆動部材がチャッキングされる以前の非使用状態を示す縦断面図、図２は、図１の磁気テープカートリッジのチャッキング後の使用状態を示す要部縦断面図、図３は、ロック部材を除去した状態での図２の３−３線に沿った断面平面図、図４は図２の４−４線に沿った断面平面図、図５は図２の要部の拡大縦断面図である。
【００１４】
図１において、磁気テープカートリッジ１のカートリッジケース３は、上ケース３１と、中心部に開口３２ａを備えて上ケース３１にビス等により締結された下ケース３２とからなり、このカートリッジケース３内に、磁気テープ（図示省略）を巻装した単一のリール２が回転可能に収容され、さらに、リール２の内部に、非使用時にはリール２をロックして回転を禁止するリールロック機構１０が収容されている。
【００１５】
上記リール２は、磁気テープが外周に巻回され、平滑な内周面を備えた有底円筒状のリールハブ２１と、このリールハブ２１の上下端外周からそれぞれ径方向に円盤状に張り出した下フランジ２２および上フランジ２３とからなり、リールハブ２１と下フランジ２２とは合成樹脂材料により一体成形され、同じく合成樹脂材料からなる上フランジ２３は、リールハブ２１の上端に嵌着された状態で、例えば超音波溶着によりリールハブ２１に固着されている。
【００１６】
リールハブ２１の下端は底壁２１ａにより閉塞され、この底壁２１ａの下面外周部には、ドライブ装置側の回転駆動部材１１の駆動ギア１３と噛合するクラウンギア形式のリールギア２４が環状に刻設され、さらにこのリールギア２４より内周側に磁性金属板からなるリールプレート２５がインサート成形により取り付けられている。そして、上記リール２のリールギア２４およびリールプレート２５は、カートリッジケース３の底面の開口３２ａに臨むように配置されている。なお、図１に示す非使用状態においては、リール２は後述のリールロック機構１０の付勢部材５により下方に付勢されて、下フランジ２２が下ケース３２の開口３２ａの周縁の受け面３２ｂ上に押し付けられている。
【００１７】
一方、ドライブ装置側の回転駆動部材１１は、回転シャフト１２の上端に固定されたチャック部１５の上面に環状の駆動ギア１３とマグネット（図示せず）とを備えている。この回転駆動部材１１のチャッキング動作は、図示しないドライブ装置側のバケットに装填された磁気テープカートリッジ１が回転シャフト１２に向かって下降して、上記駆動ギア１３がリールギア２４に噛合すると共に、マグネットによりリールプレート２５を吸引して噛合状態を保持することによって行われる。
【００１８】
次に、リールロック機構１０を説明する。このリールロック機構１０は、ロック位置とロック解除位置との間でリール２の軸線方向に移動可能なロック部材４と、ロック部材４をロック方向に付勢する付勢部材５（コイルばね）と、ロック部材４をロック解除方向に移動させる解除部材６とを備えている。
【００１９】
リール２の底壁２１ａには、リールギア２４が形成されている部分を上下方向に貫通する３個の透孔２６（図３参照）が同一円周上に等間隔を保って配設され、さらに、底壁２１ａの上面には透孔２６と透孔２６との間の部位に３組６個の係止突起２７が同一円周上に等間隔を保って一体に立設され、この係止突起２７の先端にはロック歯２９が形成されている。なお、透孔２６および係止突起２７は３個或いは３組以上配置してもよく、係止突起２７の先端のロック歯２９は単一のギア歯形状としてもよい。
【００２０】
上記ロック部材４は、図４および図５から特に明らかなように、リール２のリールハブ２１内にその底壁２１ａと対向して配置される円盤部４１を備え、この円盤部４１の外周縁部には、リールハブ２１の周壁の内周面２１ｂよりも若干小径の外周面４７ａを備えた比較的薄い円筒体４７が一体に形成されて、その外周面４７ａが僅かな間隙を隔ててリールハブ２１の周壁の内周面２１ｂに同軸的に対向している。そして、この円筒体４７の外周面４７ａ上に、例えば９０度の角度間隔を隔てて軸線に関して点対称的に圧入された４個の合成樹脂製ボール４８が常時リールハブ２１の内周面２１ｂに接触して、リールハブ２１の周壁を内側から支持している。
【００２１】
ロック部材４の円筒体４７の内側の底面にはロック歯４２が円環状に刻設され、このロック歯４２は、リールハブ２１の底壁２１ａの上面に立設された係止突起２７上端のロック歯２９と噛合可能である。また、円盤部４１の下面中心部は凸面状に突出して摺接部４１ａを形成し、この摺接部４１ａが付勢部材５の付勢力によって後述する解除部材６の本体部６１の上面中心の摺接部６１ａに接するように構成されている。なお、上記双方のロック歯４２および２９は、外周部の歯丈が高くなるように円錐状に形成され、外周側部分が先に噛合するように構成されている。
【００２２】
ロック部材４の円盤部４１の上面中央部には円柱状の突部４４が上方に延びて形成され、この突部４４に、図４に示すように上方を開口させた十字状の係止溝４５が形成されている。一方、カートリッジケース３の上ケース３１の内面には、上記係止溝４５に挿入される係止突起３３（回り止め突起）が垂設され、係止溝４５と係止突起３３との係合により、ロック部材４が常時回転を阻止された状態で軸線方向に移動可能に配設されている。
【００２３】
上記解除部材６は、ロック部材４とリールハブ２１の底壁２１ａとの間に上下移動可能に介装され、略三角形状の板状本体部６１（図３参照）の各頂点近傍下面には下方に延びる円柱状の脚部６３が設けられている。各脚部６３は、リール２の底壁２１ａに開口した３個の透孔２６にそれぞれ摺動可能に挿通され、その先端はリール２下面のリールギア２４の歯部に臨んで位置する。その際、係止突起２７は各脚部６３の間で本体部６１の外側に位置する。なお、脚部６３は角柱状、楕円柱状等に形成してもよい。
【００２４】
解除部材６の最下降位置（図１）では、脚部６３の先端はリールギア２４から突出し、このリールギア２４にドライブ装置側の回転駆動部材１１のチャッキング動作により駆動ギア１３が噛合するのに応じて解除部材６が上方へ押圧され、所定のストローク量で押し上げられるようになっている（図２および図５）。そして、駆動ギア１３によってリール２も若干上方へ押し上げられて、下ケース３２から離れ、脚部６３を透孔２６に嵌合させた解除部材６とともに回転可能になる。
【００２５】
次に、上記リールロック機構１０の作用を説明する。図１に示す磁気テープカートリッジ１の保管時等の非使用状態では、付勢部材５の付勢力によって、ロック部材４、解除部材６ならびにリール２がカートリッジケース３の下ケース３２側に移動しており、下ケース３２中心部の開口３２ａはリール２によって閉塞される。解除部材６はその下面がリールハブ２１の底壁２１ａ上面に当接した最下降状態にあり、その脚部６３は先端部がリールギア２４の歯先より突出している。解除部材６の上面に当接しているロック部材４も下降位置にあり、そのロック歯４２が係止突起２７先端のロック歯２９に噛合して、非使用時におけるリール２の回転を禁止して磁気テープの引き出しを阻止するロック状態にある。
【００２６】
一方、磁気テープカートリッジ１をドライブ装置に装填した図２および図５に示すカートリッジ使用状態では、回転駆動部材１１の駆動ギア１３がリールギア２４に噛合し、リール２を若干上方に移動させて保持すると共に、駆動ギア１３の歯先が解除部材６の脚部６３の先端に当接してこれを押し上げる。これに伴い、解除部材６が付勢部材５の付勢力に抗して上方へ移動し、この解除部材６と一体にロック部材４も上方のロック解除方向へ移動する。この際に、ロック部材４の外周面４７ａに設けられている樹脂製ボール４８はリールハブ２１の内周面２１ｂ上を上方に摺動する。そして、このロック部材４の上方への移動これによりロック歯４２，２９同士の噛合が解除され、リール２が回転自在とされ、ドライブ装置によって磁気テープのロード／アンロードが行われる。その場合に、ロック部材４の外周面４７ａに設けられていてリール２の回転に伴ってリールハブ２１の内周面２１ｂ上に摺接する樹脂製ボール４８によってリールハブ２１が支持される。
【００２７】
以上の説明で明らかなように、本実施の形態においては、ロック部材４の外周面４７ａに、リールハブの内周面２１ｂに対し４箇所において常時接触してこのリールハブ２１の周壁を支持する４個の樹脂製ボール４８が設けられていることにより、リール２の軸線方向への移動および軸線周りの回転が阻害されることなしに磁気テープの巻締め力によるリールハブ２１の変形が阻止され、これによって、リールフランジ２２，２３と磁気テープとの接触を防止することができる。
【００２８】
なお、上述した本発明の実施例においては、ロック部材４の外周面４７ａに設けられた４個の樹脂製ボール４８によってリールハブ２１の周壁が、静止時および回転時を問わず常に支持された構成を有しているが、これらボール４８は摩擦係数の低い材料で形成されることが望ましい。例えば樹脂であればＰＯＭ（ポリオキシメチレン樹脂），金属であれば通常のボールベアリングに組み込まれているベアリング球と同等の表面仕上げ、粗さを備えた金属球が好ましい。また、このリールハブ支持手段は上記構成に限定されるものではなく、リールハブ２１の内周面に常時接触して、リールハブ２１の周壁を内側から支持するリールハブ２１の変形を阻止する機能を果たしながら、ロック部材４の軸線方向の移動およびリール２の回転に対して抵抗の低いものであれば、いかなる構造のものでもよい。
【００２９】
また、ボール４８がリールハブ２１の内周面２１ｂに摺接するのではなく、リールハブ２１の内周面上を転動する構成にすれば、ロック部材４の軸線方向の移動およびリール２の回転に対して上記支持手段が与える抵抗をより減少させることができる。
【図面の簡単な説明】
【００３０】
【図１】本発明の一実施例による磁気テープカートリッジの非使用状態を示す縦断面図である。
【図２】図１の磁気テープカートリッジの使用状態を示す要部縦断面図である。
【図３】ロック部材を除去した状態での図２の３−３線に沿った断面平面図である。
【図４】図２の４−４線に沿った断面平面図である。
【図５】図２の要部の拡大縦断面図である。
【符号の説明】
【００３１】
１    磁気テープカートリッジ
２    リール
３    カートリッジケース
４    ロック部材
５    付勢部材
６    解除部材
２０    リールロック機構
２１    リールハブ
２７    係止突起
２９，４２    ロック歯
４１    ロック部材の円盤部
４７    ロック部材の円筒部
４８    樹脂製ボール
【図１】
2005259226.tif 000003
【図２】
2005259226.tif 000004
【図３】
2005259226.tif 000005
【図４】
2005259226.tif 000006
【図５】
2005259226.tif 000007